(57)【要約】 【課題】美観に優れ、安全的にも問題のないプロジェクタを提供すること。【解決手段】プロジェクタ１０は、画像光を拡大投写するプロジェクタ本体１と、画像光に関連する音声を発生するスピーカー等の音声発生装置２５とを備えており、プロジェクタ本体１と音声発生装置２５を収納する外装ケース等の筐体１５には、音声発生装置２５の放音口１５３とプロジェクタ本体１の吸気口１５２及び／または排気口１５１Ｂ１，１５１Ｂ２が隣接して形成され、この放音口１５３と、吸気口１５２及び／または排気口１５１Ｂ１，１５１Ｂ２の前面には面状のカバー部材２０が配設されている。【選択図】図５
2006072036.tif 000002
【特許請求の範囲】
【請求項１】
光源と、光源から射出された光束を複数の色光に分離する色分離光学装置と、分離された色光を画像情報に応じて変調する複数の光変調装置と、各光変調装置で変調された光を合成する色合成光学装置と、前記色合成光学装置にて合成された画像光を拡大投写する投写光学装置からなるプロジェクタ本体と、前記画像光に関連する音声を発生する音声発生装置とを備えたプロジェクタであって、
前記プロジェクタ本体と前記音声発生装置を収納する筐体には、前記音声発生装置の放音口と前記プロジェクタ本体の吸気口及び／または排気口が隣接して形成され、
前記放音口と、前記吸気口及び／または排気口の前面には面状のカバー部材が配設されていることを特徴とするプロジェクタ。
【請求項２】
請求項１に記載のプロジェクタにおいて、
前記筐体内部には、前記吸気口と空気的に連通する吸気用ダクトが配設されていることを特徴とするプロジェクタ。
【請求項３】
光源と、光源から射出された光束を複数の色光に分離する色分離光学装置と、分離された色光を画像情報に応じて変調する複数の光変調装置と、各光変調装置で変調された光を合成する色合成光学装置と、前記色合成光学装置にて合成された画像光を拡大投写する投写光学装置からなるプロジェクタ本体と、前記画像光に関連する音声を発生する音声発生装置とを備えたプロジェクタであって、
前記プロジェクタ本体と前記音声発生装置を収納する筐体には、前記音声発生装置の放音口が形成され、
当該放音口の前面には面状のカバー部材が配設されており、
前記カバー部材と前記音声発生装置前面との間には間隙が形成されており、
当該間隙は、前記筐体内部に形成された吸気用ダクトと空気的に連通することを特徴とするプロジェクタ。
【請求項４】
請求項１ないし請求項３の何れかに記載のプロジェクタにおいて、
前記音声発生装置を形成する外箱部材が前記吸気用ダクトの一部を構成していることを特徴とするプロジェクタ。
【請求項５】
請求項１ないし請求項４の何れかに記載のプロジェクタにおいて、
前記筐体における前記カバー部材が配設される面が、前記投写光学装置から画像光が拡大投写される面と異なる面であることを特徴とするプロジェクタ。
【発明の詳細な説明】
【技術分野】
【０００１】
本発明は、スピーカーなどの音声発生装置を備えた音声発生可能なプロジェクタに関する。
【背景技術】
【０００２】
光源から射出された光束を画像情報に応じて変調して、投射レンズを介してスクリーン上に投射するプロジェクタが知られており、このプロジェクタは、パーソナルコンピュータ（ＰＣ）とともに、会議等でのプレゼンテーションに広く利用されている。
【０００３】
このようなプロジェクタは、ダイクロイックミラー等の色分離光学系が、光源から射出された光束を三色の色光に分離し、液晶パネル等で構成される３枚の光変調装置は、色光毎に画像情報に応じて変調する。また、クロスダイクロイックプリズム等の色合成光学装置は、変調後の各色光を合成して光学像を形成しており、この形成された光学像を、投射レンズ等の投射光学装置によって拡大投射する、いわゆる三板式の構成を採用するものが広く知られている。
【０００４】
また、近年のプロジェクタの多機能化にあっては、プロジェクタは画像を投写するだけでなく、音声も出力することが可能となっており、そのために、スピーカー等の音声発生装置を内蔵しているものも増えてきている。そのスピーカーも、より臨場感を出すために、ステレオスピーカーが多く用いられている（例えば、特許文献１）。
【０００５】
更には、近年のプロジェクタの多機能化にあっては、自宅で簡便に映画館と同じような環境で、映画館と同様の映像を再生するホームシアターシステムが普及してきており、そして、プロジェクタと画像再生装置とを一体化した複合タイプのプロジェクタが、ホームシアターとしての用途を発揮できるようになっていた（例えば、特許文献２）。画像再生装置としてはＤＶＤ（Digital Versatile Discの略。以下同）プレーヤー、ビデオカセットレコーダーなどが利用されているが、映像の品質や映像ソースのハンドリングのし易さから、現在ではＤＶＤプレーヤーが主流となっている。
【０００６】
【特許文献１】特開平６−１３８４３３号公報（［００２１］，図５）
【特許文献２】特開平７−１１３９９６号公報（［請求項１］，図４）
【発明の開示】
【発明が解決しようとする課題】
【０００７】
ところで、プロジェクタに音声出力機能を付与すべくスピーカー等の音声発生装置を配設する際には、両者を収納する筐体等には、プロジェクタの吸気口あるいは排気口と、このスピーカーの放音部の前面に開口部を設ける構成とする必要があるが、このような構成をとった場合には、プロジェクタの外面に開口部が多く存在してしまうため、プロジェクタの外観が悪く、美観を損ねることになっていた。
また、外面にこのような開口部が多く存在すると、開口部から指や物を差し込みやすくなってしまうため、安全面からも問題があった。
【０００８】
本発明の目的は、前記の課題に鑑みてなされたものであり、美観に優れ、安全的にも問題のないプロジェクタを提供することにある。
【課題を解決するための手段】
【０００９】
本発明の第１発明のプロジェクタは、光源と、光源から射出された光束を複数の色光に分離する色分離光学装置と、分離された色光を画像情報に応じて変調する複数の光変調装置と、各光変調装置で変調された光を合成する色合成光学装置と、前記色合成光学装置にて合成された画像光を拡大投写する投写光学装置からなるプロジェクタ本体と、前記画像光に関連する音声を発生する音声発生装置とを備えたプロジェクタであって、前記プロジェクタ本体と前記音声発生装置を収納する筐体には、前記音声発生装置の放音口と前記プロジェクタ本体の吸気口及び／または排気口が隣接して形成され、前記放音口と、前記吸気口及び／または排気口の前面には面状のカバー部材が配設されていることを特徴とする。
【００１０】
この本発明の第１発明のプロジェクタは、プロジェクタ本体と音声発生装置からなり、これらプロジェクタ本体と音声発生装置を収納する筐体には、音声発生装置の放音口とプロジェクタ本体の吸気口及び／または排気口が隣接して形成されており、この放音口と、吸気口及び／または排気口の前面には面状のカバー部材が配設されている構成を採用している。
【００１１】
従って、プロジェクタの外面にはカバー部材だけが配設されて外部に現れることになるので、開口部が多く存在することもなく、プロジェクタの外観も良好となり、美観に優れたプロジェクタとなる。
また、プロジェクタ外面において開口部が存在することがないので、開口部から指や物を差し込むといった問題も発生せず、安全面からも優れたプロジェクタとなる。
【００１２】
本発明のプロジェクタは、前記筐体内部には、前記吸気口と空気的に連通する吸気用ダクトが配設されていることが好ましい。
この本発明によれば、プロジェクタ本体と音声発生装置を収納する筐体の内部に、前記吸気口と空気的に連通する吸気用ダクトが配設されているので、吸気口から吸引した空気はダクトから好適にプロジェクタ内部に送られることとなり、プロジェクタ内部の冷却が効率的に行われることになる。
なお、「空気的に連通する」とは、空気が、筐体に形成された吸気口から筐体内部の吸気用ダクトまで自由に行き来できる状態にあることをいう。
【００１３】
本発明の第２発明のプロジェクタは、光源と、光源から射出された光束を複数の色光に分離する色分離光学装置と、分離された色光を画像情報に応じて変調する複数の光変調装置と、各光変調装置で変調された光を合成する色合成光学装置と、前記色合成光学装置にて合成された画像光を拡大投写する投写光学装置からなるプロジェクタ本体と、前記画像光に関連する音声を発生する音声発生装置とを備えたプロジェクタであって、前記プロジェクタ本体と前記音声発生装置を収納する筐体には、前記音声発生装置の放音口が形成され、当該放音口の前面には面状のカバー部材が配設されており、前記カバー部材と前記音声発生装置前面との間には、間隙が形成されており、当該間隙は、前記筐体内部に形成された吸気用ダクトと空気的に連通することを特徴とする。
【００１４】
この本発明の第２発明のプロジェクタは、プロジェクタ本体と音声発生装置からなり、これらプロジェクタ本体と音声発生装置を収納する筐体には、前面には面状のカバー部材が配設された音声発生装置の放音口が形成されており、また、カバー部材と音声発生装置前面との間には、間隙が形成され、この間隙は、筐体内部に形成された吸気用ダクトと空気的に連通している構成を採用している。
【００１５】
従って、前記した第１発明のプロジェクタと同様に、プロジェクタの外面にはカバー部材だけが配設され外部に現れることになるので、開口部が多く存在することもなく、プロジェクタの外観も良好となり、美観に優れたプロジェクタとなる。また、プロジェクタ外面において開口部が存在することがないので、開口部から指や物を差し込むといった問題も発生せず、安全面からも優れたプロジェクタとなる。
【００１６】
また、カバー部材と音声発生装置前面との間には間隙が形成され、この間隙は、筐体内部に形成された吸気用ダクトと空気的に連通していることにより、外部の空気がカバー部材を介して、この隙間から吸気用ダクトから好適にプロジェクタ内部に送られることとなり、プロジェクタ内部の冷却が効率的に行われることになる。
なお、「空気的に連通する」とは、前記した第１発明のプロジェクタの場合と同様に、空気が、カバー部材と音声発生装置前面との間に形成された間隙から吸気用ダクトまで自由に行き来できる状態にあることをいう。
【００１７】
本発明のプロジェクタは、前記した音声発生装置を形成する外箱部材が前記吸気用ダクトの一部を構成していることが好ましい。
この本発明によれば、筐体内部に存在する音声発生装置を形成している外箱部材が吸気用ダクトの一部を構成しているので、吸気用ダクトと音声発生装置が一体化して、部材点数の削減を図ることができる。
【００１８】
本発明のプロジェクタは、前記した筐体における前記カバー部材が配設される面が、前記した投写光学装置から画像光が拡大投写される面と異なる面であることが好ましい。
この本発明によれば、プロジェクタ本体と音声発生装置を収納する筐体におけるカバー部材が配設される面を特定し、投写光学装置から画像光が拡大投写される面と異なるようにしているので、プロジェクタにおいて投写光学装置と音声発生装置等を離れた位置に配置でき、プロジェクタ内部における光学部品等の搭載品のレイアウトの多様化を図ることができる。
【発明を実施するための最良の形態】
【００１９】
以下、本発明の実施の一形態を図面に基づいて説明する。
【００２０】
［第１実施形態］
（Ｉ）プロジェクタの外観構成：
図１は、本実施形態に係るプロジェクタ１０を音声発生装置であるスピーカー２５が配設される側（以下、後方側とする）から見た斜視図であり、また、図２は、図１において、外装ケース１５の外面に配設されたカバー部材２０の一つを取り外した状態を示した斜視図である。そして、図３は、プロジェクタ１０を前方側から見た斜視図である。
【００２１】
プロジェクタ１０は、形状が略直方体の筐体である外装ケース１５の内部に、後記する図４の構造の光学系４からなるプロジェクタ本体１を収納する。このプロジェクタ本体１は、光源から射出された光束を画像情報に応じて変調し、この光変調後に合成された画像光をスクリーン等の投写面上に拡大投写する。
【００２２】
また、プロジェクタ１０には、画像光に関連する音声を発生する音声発生装置であるスピーカー２５を備えており、画像光を投射するとスピーカー２５も駆動して、画像光に対応する音声を再生することとなる。そして、このプロジェクタ本体１とスピーカー２５とが、外装ケース１５に収納されることになる。
【００２３】
プロジェクタ本体１とスピーカー２５を収納するこの外装ケース１５は、平面が略矩形状の合成樹脂製の筐体であり、図１及び図２に示すように、その背面部１５Ｃには、面状のカバー部材２０が配設されており、また、図３に示すように、正面部１５Ａには、投写レンズ３が露出されている。この投写レンズ３は、後記するように、光変調装置としての液晶パネルで変調形成された光学像を拡大投写する投写光学系としての機能を具備するものであり、レンズ保持筒内部に複数のレンズが収納された組レンズとして構成されているものである。
【００２４】
また、外装ケース１５の正面部１５Ａ（投写レンズ３が露出している面）、及び当該正面部１５Ａから見た左側面部１５Ｂには、排気口１５１Ａ，１５１Ｂ１，１５１Ｂ２が形成されている。この排気口１５１Ａ，１５１Ｂ１，１５１Ｂ２は、外装ケース１５内部のプロジェクタ本体１及び図示しないスピーカー駆動装置から生じる熱を外部に排出する開口部であり、本実施形態では、細長い略矩形状の空隙が横に数本並んで、排気口１５１Ａ，１５１Ｂ１，１５１Ｂ２を形成している。
なお、図１〜図３では、外装ケース１５の正面部１５Ａに１つの排気口１５１Ａを、また、外装ケース１５の左側面部１５Ｂに２つの排気口１５１Ｂ１，１５１Ｂ２を形成している例を示している。
【００２５】
前記したように、外装ケース１５の背面部１５Ｃには、面状のカバー部材２０が、左右に２枚配設されている。ここで、図２に示すように、外装ケース１５においてカバー部材２０が配設される位置には、プロジェクタ本体１の吸気を行う吸気口１５２と、音声発生装置であるスピーカー２５を配設する放音口１５３とが、吸気口１５２を上、放音口１５３を下として隣接して形成されている（なお、図２は、放音口１５３にスピーカー２５を組み込んだ状態を示しているものである）。
そして、カバー部材２０は、吸気口１５２と放音口１５３の前面に配設されて、１枚でこれら吸気口１５２と放音口１５３を覆うことになる。
【００２６】
なお、図２では、外装ケース１５の背面部１５Ｃにおいて、向かって右の部分のカバー部材２０Ａを取り外して、外装ケース１５に形成された吸気口１５２とスピーカー２５及び放音口１５３を露出した状態を示しているが、取り外されていないカバー部材２０Ｂで隠れている、向かって左の部分についても、吸気口１５２と放音口１５３が隣接して形成されている。
【００２７】
外装ケース１５の背面部に形成された吸気口１５２は、外装ケース１５の内部に配設されるプロジェクタ本体１を冷却するために、外部の空気を入れ込むための開口部であり、本実施形態にあっては、細長い略矩形状の空隙が縦に数本並んで、この吸気口１５２を形成している。
なお、この吸気口１５２は、外装ケース１５の背面部１５Ｃの左右上部に各１つずつ（計２つ）形成されている。
【００２８】
また、外装ケース１５の背面部１５Ｃに、この吸気口１５２と隣接して形成されるスピーカー２５の放音口１５３は、後記する図５にも示すように、スピーカー２５を組み込み、位置決めするための開口部であり、スピーカー２５の形状に併せて、矩形状ないしは正方形状の開口部が形成されている。
なお、この放音口１５３も、前記した吸気口１５２と同様、外装ケース１５の背面部１５Ｃの左右下部に各１つずつ（計２つ）形成されている。
【００２９】
吸気口１５２及び放音口１５３を覆うカバー部材２０は、図２に示すように、薄板状のカバー部２１と、このカバー部２１を支持し、また、カバー部２１を外装ケース１５に取り付けるための枠体２２から構成されている。
【００３０】
このうち、カバー部２１は、スピーカー２５のスピーカーネットも兼用し、通気性に優れた網目状のシート材で構成されることが好ましい。また、カバー部２１は、カバー部材２０が外装ケース１５に形成される吸気口に対するフィルターを兼用することとなるので、プロジェクタ１の内部にゴミや埃、塵が入り込むのを防ぐことができる。
【００３１】
また、カバー部材２０を構成する枠体２２は、カバー部２１と一体化されてカバー部材２０を形成して外装ケース１５に取り付けられる。この枠体２２は、主枠部２２１と、支持部２２２と、開口部２２３からなる合成樹脂製の一体成形品である。
【００３２】
なお、カバー部材２０を外装ケース１５に取り付けるにあたっては、カバー部２１と枠体２２をあらかじめ一体化させてから、この一体化されたカバー部材２０を外装ケース１５に取り付けるようにしてもよく、また、まず、外装ケース１５に枠体２２を取り付けてから、この枠体２２にカバー部２１を取り付けるようにしてもよい。
また、外装ケース１５とカバー部材２０は着脱可能であるから、カバー部材２０が汚損等した場合にあっては、カバー部材２０を取り外して洗浄することもできる。
【００３３】
（II）光学系４の構造：
図４は、本実施形態のプロジェクタ本体１の光学系４の模式図を示す。
本実施形態のプロジェクタ本体１は、インテグレータ照明光学系４１と、色分離光学系４２と、リレー光学系４３と、光変調光学装置および色合成光学系を一体化した光学装置４４と、投写光学装置としての投写レンズ３とを備えているものである。
【００３４】
インテグレータ照明光学系４１は、光源から射出された光束を照明光軸直交面内におけ
る照度を均一にするための光学系であり、光源装置４１１、第１レンズアレイ４１２、第
２レンズアレイ４１３、偏光変換素子４１４、および重畳レンズ４１５を備えて構成され
る。
【００３５】
光源装置４１１は、放射光源としての光源ランプ４１６およびリフレクタ４１７を備えており、光源ランプ４１６から射出された放射状の光線をリフレクタ４１７で反射して略平行光線とし、外部へと射出する。本例では、光源ランプ４１６として高圧水銀ランプを採用しているが、これ以外にメタルハライドランプやハロゲンランプを採用することもある。また、本例では、リフレクタ４１７として放物面鏡を採用しているが、楕円面鏡からなるリフレクタの射出面に平行化凹レンズを配置した構成も採用することもできる。
【００３６】
第１レンズアレイ４１２は、照明光軸方向から見てほぼ矩形状の輪郭を有する小レンズ
がマトリクス状に配列された構成を具備している。各小レンズは、光源ランプ４１６から
射出された光束を部分光束に分割して、照明光軸方向に射出する。各小レンズの輪郭形状は、後述する液晶パネル４４１の画像形成領域の形状とほぼ相似形をなすように設定される。
【００３７】
第２レンズアレイ４１３は、第１レンズアレイ４１２と略同様の構成であり、小レンズ
がマトリクス状に配列された構成を具備する。この第２レンズアレイ４１３は、重畳レン
ズ４１５とともに、第１レンズアレイ４１２の各小レンズの像を液晶パネル４４１上に結
像させる機能を有する。
【００３８】
偏光変換素子４１４は、第２レンズアレイ４１３からの光を１種類の偏光光に変換する
ものであり、これにより、光学装置４４での光の利用率が高められている。
具体的に、偏光変換素子４１４によって１種類の偏光光に変換された各部分光束は、重
畳レンズ４１５によって最終的に光学装置４４の液晶パネル４４１上にほぼ重畳され
る。偏光光を変調するタイプの液晶パネル４４１を用いたプロジェクタでは、１種類の偏
光しか利用できないため、ランダムな偏光光を発する光源ランプ４１６からの光束の略
半分が利用されない。このため、偏光変換素子４１４を用いることにより、光源ランプ４
１６から射出された光束を略１種類の偏光光に変換し、光学装置４４における光の利用効率を高めている。なお、このような偏光変換素子４１４は、例えば、特開平８−３０４７３９号公報に紹介されている。
【００３９】
色分離光学系４２は、２枚のダイクロイックミラー４２１，４２２と、反射ミラー４２
３とを備え、ダイクロイックミラー４２１、４２２によりインテグレータ照明光学系４１
から射出された複数の部分光束を赤（Ｒ）、緑（Ｇ）、青（Ｂ）の３色の色光に分離する
機能を有している。
【００４０】
リレー光学系４３は、入射側レンズ４３１と、リレーレンズ４３３と、反射ミラー４３
２，４３４とを備え、色分離光学系４２で分離された色光である赤色光を液晶パネル４４
１Ｒまで導く機能を有している。
【００４１】
この場合、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸（主光線）に対して平行な光束に変換する。他の液晶パネル４４１Ｇ、４４１Ｒの光入射側に設けられたフィールドレンズ４１８も同様である。
【００４２】
また、ダイクロイックミラー４２１を透過した赤色光と緑色光のうちで、緑色光は、ダ
イクロイックミラー４２２によって反射し、フィールドレンズ４１８を通って、緑色用の
液晶パネル４４１Ｇに到達する。一方、赤色光は、ダイクロイックミラー４２２を透過し
てリレー光学系４３を通り、さらにフィールドレンズ４１８を通って、赤色光用の液晶パ
ネル４４１Ｒに到達する。
【００４３】
なお、赤色光にリレー光学系４３が用いられているのは、赤色光の光路の長さが他の色
光の光路長さよりも長いため、光の発散等による光の利用効率の低下を防止するためであ
る。すなわち、入射側レンズ４３１に入射した部分光束をそのまま、フィールドレンズ４１８に伝えるためである。なお、リレー光学系４３には、３つの色光のうちの赤色光を通
す構成としたが、これに限らず、例えば、青色光を通す構成としてもよい。
【００４４】
光学装置４４は、入射された光束を画像情報に応じて変調してカラー画像を形成す
るものであり、色分離光学系４２で分離された各色光が入射される３つの入射側偏光板４
４２と、各入射側偏光板４４２の後段に配置される光変調素子としての液晶パネル４４１
（４４１Ｒ、４４１Ｇ、４４１Ｂ）と、各液晶パネル４４１Ｒ、４４１Ｇ、４４１Ｂの後
段に配置される射出側偏光板４４３と、色合成光学系としてのクロスダイクロイックプリ
ズム４４４を備えている。
【００４５】
液晶パネル４４１Ｒ、４４１Ｇ、４４１Ｂは、一対の透明なガラス基板に電気光学物質である液晶を密閉封入したものであり、例えば、ポリシリコンＴＦＴをスイッチング素子として、与えられた画像信号に従って、入射側偏光板４４２から射出された偏光光束の偏光方向を変調する。この液晶パネル４４１Ｒ，４４１Ｇ，４４１Ｂの変調を行う画像形成領域は、矩形状であり、その対角寸法は、例えば０．７インチ程度である。
【００４６】
そして、色分離光学系４２で分離された各色光は、これら３枚の液晶パネル４４１Ｒ，４４１Ｇ，４４１Ｂ、入射側偏光板４４２、および射出側偏光板４４３によって画像情報に応じて変調されて光学像を形成する。
【００４７】
入射側偏光板４４２は、色分離光学系４２で分離された各色光のうち、一定方向の偏光
光のみ透過させ、その他の光束を吸収するものであり、サファイアガラス等の基板に偏光
膜が貼付されたものである。また、基板を用いずに、偏光膜をフィールドレンズ４１８に
貼り付けてもよい。
【００４８】
また、射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。また、基板を用いずに、偏光膜をクロスダイクロイックプリズム４４４に貼り付けてもよい。
これらの入射側偏光板４４２および射出側偏光板４４３は、互いの偏光軸の方向が直交
するように設定されている。
【００４９】
クロスダイクロイックプリズム４４４は、射出側偏光板４４３から射出され、色光毎に
変調された光学像を合成してカラー画像を形成するものである。
クロスダイクロイックプリズム４４４には、赤色光を反射する誘電体多層膜と青色光を
反射する誘電体多層膜とが、４つの直角プリズムの界面に沿って略Ｘ字状に設けられ、こ
れら誘電体多層膜により３つの色光が合成される。そして、プリズム４４４で合成されたカラー画像は、投写レンズ３から射出され、スクリーン上に拡大投射されることになる。
そして、かかる構成からなる光学系は、例えば、平面略Ｌ字状の形状からなる後記する光学装置用筐体であるライトガイド４５に収納されることになる。  
【００５０】
（III）プロジェクタ１０の内部構成：
図５は、プロジェクタ１０の内部構成を示した斜視図である。具体的には、プロジェクタ本体１及びスピーカー２５から外装ケース１５を取り外して分離するとともに、外装ケース１５からカバー部材２０も取り外して分離した状態を示している。
【００５１】
図５を用いて、プロジェクタ１０の内部構成を説明すると、プロジェクタ本体１は、外装ケース１５内における上部に配され、また、スピーカー２５は、外装ケース１５内における下部に配され、外装ケース１５の放音口１５３に組み込まれることになる。
【００５２】
ここで、音声発生装置であるスピーカー２５は、図５では、コーン型スピーカーを示しており、円錐型の振動板２５１と、スピーカー２５の外箱部材となる略直方体形状のスピーカーキャビネット２５２を含む。振動板は２５１、その根元に図示しないボイスコイルが装着されている。
なお、本実施形態のプロジェクタ１０を構成するスピーカー２５は、ステレオタイプのスピーカーであり、外装ケース１５の背面部１５Ｃの左右に形成された放音口１５３にそれぞれ１つずつ配設されている。
【００５３】
また、スピーカーを構成するスピーカーキャビネット２５２の上面には、吸気用ダクト１６が配設されている。この吸気用ダクト１６は、略矩形状の上面部１６１と２つの側面部１６２、及びスピーカーキャビネット２５２の上面部２５２Ａを底面部としてなる。本実施形態のプロジェクタは、このように、スピーカーキャビネット２５２が吸気用ダクト１６の一部を形成しているので、吸気用ダクト１６とスピーカー２５が強固に一体化されるとともに、部材点数の削減を図ることができる。
【００５４】
そして、外装ケース１５の内部にこの吸気用ダクト１６を含むスピーカー２５及びプロジェクタ本体１を収納した場合にあっては、吸気用ダクト１６は外装ケース１５の吸気口１５２の裏側に配置されることになり、この吸気口１５２と吸気用ダクト１６が空気的に連通することになる。このように、外装ケース１５に形成される吸気口１５２と、外装ケース１５の内部に存在する吸気用ダクト１６が空気的に連通することにより、吸気口１５２から吸引した空気は吸気用ダクト１６から好適にプロジェクタ１０の内部に送られることとなり、プロジェクタ１０の内部の冷却が効率的に行われることになる。
【００５５】
なお、図５に示すように、本実施形態のプロジェクタ１０にあっては、この吸気用ダクト１６に隣接して吸気用ファン１７が配設されているので、吸気口１５２から吸引された空気は吸気用ダクト１６を介して好適にプロジェクタ１０の内部に送られていくことになる。
【００５６】
一方、プロジェクタ１０を組み立てた場合にあっては、吸気口１５２の前面には面状のカバー部材２０が配設されているが、カバー部材２０を構成するカバー部２１は通気性に優れているため、吸気口１５２からの空気の吸引に何ら影響を与えることはない。
また、カバー部材２０（カバー部２１）としてフィルター性能に優れたものを採用すれば、プロジェクタ１０の内部にゴミや埃、塵が入り込むのを防ぐことができ、これによりプロジェクタ１０の性能を維持し、故障の発生等の不具合を防止することができる。
【００５７】
そして、吸気用ファン１７を駆動することにより、プロジェクタ１０の外部の空気はカバー部材２０、吸気口１５２を通過し、吸気用ダクト１６を介してプロジェクタ１０の内部に吸引され、プロジェクタ本体１を構成する光学部品を冷却した後、排気用ファン１８により、外装ケース１５に形成された排気口１５１Ｂ１等から好適に排出されていくことになる。
【００５８】
（IV）第１実施形態の効果：
前記した第１実施形態のプロジェクタ１０によれば、下記の効果を好適に奏することができる。
（１）プロジェクタ１０がプロジェクタ本体１と音声発生装置であるスピーカー２５からなり、これらプロジェクタ本体１とスピーカー２５を収納する筐体である外装ケース１５には、スピーカー２５の放音口１５３とプロジェクタ本体１の吸気口１５２が隣接して形成されており、また、この放音口１５３と吸気口１５２の前面には面状のカバー部材２０が配設されているので、プロジェクタ１０の外面にはカバー部材２０だけが外部に現れることになり、開口部が多く存在することもなく、プロジェクタ１０の外観も良好となり、美観に優れたプロジェクタ１０となる。
【００５９】
（２）また、このプロジェクタ１０は、外面において開口部が存在することがないので、開口部から指や物を差し込むといった問題も発生せず、安全面からも優れたプロジェクタ１０となる。
【００６０】
（３）プロジェクタ本体１とスピーカー２５を収納する外装ケース１５の内部に、吸気口１５２と空気的に連通する吸気用ダクト１６が配設されているので、吸気口１５２から吸引した空気は吸気用ダクト１６から好適にプロジェクタ１０の内部に送られることとなり、プロジェクタ１０の内部の冷却が効率的に行われることになる。
【００６１】
（４）筐体である外装ケース１５の内部の吸気口１５２に対応する位置に配設された吸気用ダクト１６がスピーカーの少なくとも一部を構成しているので、吸気用ダクト１６とスピーカー２５が一体化して、部材点数の削減を図ることができる。
【００６２】
（５）プロジェクタ本体１とスピーカー２５を収納する外装ケース１５におけるカバー部材２０が配設される面を、投写光学装置である投写レンズ３から画像光が拡大投写される面と異なるようにしているので、プロジェクタ１０において投写レンズ３とスピーカー２５を離れた位置に配置でき、プロジェクタ１０の内部における搭載品のレイアウトの多様化を図ることができる。
【００６３】
（Ｖ）第２実施形態：
次に、本発明に係る第２実施形態を図面に基づいて説明する。なお、以下の説明では、前記第１実施形態と同様の構造および同一部材には同一符号を付して、その詳細な説明は省略または簡略化している。
【００６４】
前記した第１実施形態にあっては、プロジェクタ１０を構成するプロジェクタ本体１と音声発生装置であるスピーカー２５を収納する外装ケース１５には、スピーカー２５の放音口１５３とプロジェクタ本体１の吸気口１５２が隣接して形成され、この放音口１５３と吸気口１５２の前面には面状のカバー部材２０が配設されて構成を採用しているものであった。
【００６５】
これに対して、第２実施形態のプロジェクタ１０は、プロジェクタ本体１と音声発生装置であるスピーカー２５を収納する外装ケース１５には、スピーカー２５の放音口１５３が形成されているが、この放音口１５３に隣接してプロジェクタ本体１の吸気口１５２は形成されていない点で相違する。
また、このスピーカー２５の放音口１５３の前面には、当該放音口１５３の形状（略正方形状）に併せた、面状のカバー部材２０が配設されている。
【００６６】
図６は、本発明の第２実施形態に係るプロジェクタ１０を後方から見た斜視図であり、また、図７は、このプロジェクタ１０の内部構成を示した斜視図である。
【００６７】
本実施形態のプロジェクタ１０も、形状が略直方体の筐体である外装ケース１５の内部に、前記した図４の構造の光学系４からなるプロジェクタ本体１を収納している。また、このプロジェクタ本体１は、光源から射出された光束を画像情報に応じて変調し、この光変調後に合成された画像光をスクリーン等の投写面上に拡大投写する。
【００６８】
また、プロジェクタ１０は、画像光に関連する音声を発生する音声発生装置であるスピーカー２５を備えている点も第１実施形態と同様であり、画像光を投射するとスピーカー２５も駆動して、画像光に対応する音声を再生することとなる。
そして、このプロジェクタ本体１とスピーカー２５とが、外装ケース１５に収納されることになる。
【００６９】
図６及び図７に示すように、本実施形態のプロジェクタ１０は、プロジェクタ本体１及び音声発生装置であるスピーカー２５を収納する外装ケース１５の背面部１５Ｃの左右の下部には、２枚のカバー部材２０が配設されており、このカバー部材２０は、外装ケース１５に形成された放音口１５３の前面に配設されており、この放音口１５３を覆い塞いでいる。
【００７０】
ここで、また、本実施形態のプロジェクタ１０は、第１実施形態のようにプロジェクタ本体１の吸気口１５２は形成されていないため、図６に示すように、カバー部材２０の大きさは、第１実施形態のプロジェクタ１０に適用されたカバー部材２０の略半分の大きさとされている。
なお、ここでは図示しないが、本実施形態のプロジェクタの外装ケースの正面部には、第１実施形態と同様、投写レンズが露出されている。
【００７１】
図７を用いて、本実施形態のプロジェクタ１０の内部構成を説明すると、第１実施形態のプロジェクタ１０と同様、円錐型の振動板２５１と、スピーカー２５の外箱部材となる略直方体形状のスピーカーキャビネット２５２を含む、ステレオタイプのスピーカーが、外装ケース１５の背面部１５Ｃの左右に形成された放音口１５３にそれぞれ１つずつ配設されており、また、スピーカー２５を構成するスピーカーキャビネット２５２の上面には、吸気用ダクト１６が配設されている。
【００７２】
なお、図６及び図７において、外装ケース１５の正面部１５Ａ（投写レンズ３が露出している面）には排気口１５１Ａ、当該正面部１５Ａから見た左側面部１５Ｂには、排気口１５１Ｂ１，１５１Ｂ２、当該正面部１５Ａから見た右側面部１５Ｄには、１５１Ｄ１，１５１Ｄ２がそれぞれ形成されている。
【００７３】
この吸気用ダクト１６は、略矩形状の上面部と２つの側面部、及びスピーカーキャビネット２５２の上面部を底面部としてなるが、図７に示されるように、カバー部材とスピーカーの前面には間隙１９が形成されている。この間隙１９は、吸気用ダクト１６と空気的に連通することになる。
【００７４】
図８は、本発明の第２実施形態に係るプロジェクタ１０における、プロジェクタ１０の外部から内部への空気の流れを示した模式図であり、図８中、矢印は空気の流れる方向を示している。
図７及び図８に示すように、プロジェクタ１０の外部の空気は、カバー部材２０を通過した後、カバー部材２０とスピーカー２５の前面と間隙１９を通ってダクト１６の方向に進み、プロジェクタ本体１の内部に送り込まれていくことになる。
【００７５】
そして、吸気用ファン１７を駆動させれば、プロジェクタ１０の外部の空気は、カバー部材２０、間隙１９を通過し、ダクト１６を介してプロジェクタ１０の内部に吸引され、プロジェクタ本体１を構成する光学部品を冷却した後、排気ファンに１８（図８では図示しない）より、外装ケース１５に形成された排気口１５１Ｂ１から排出されていくことになる。
【００７６】
（VI）第２実施形態の効果：
前記した第２実施形態のプロジェクタによれば、第１実施形態のプロジェクタ１０が奏する効果（ただし、（１）及び（３）を除く）に加えて、下記の効果を好適に奏することができる。
（１’）プロジェクタ本体１と音声発生装置であるスピーカー２５からなり、これらプロジェクタ本体１０とスピーカー２５を収納する筐体である外装ケース１５には、前面には面状のカバー部材２０が配設されたスピーカー２５の放音口１５３が形成されており、また、カバー部材２０とスピーカー２５の前面との間には間隙１９が形成され、この間隙１９が、外装ケース１５の内部に形成された吸気用ダクト１６と空気的に連通している構成を採用しているので、プロジェクタ１０の外面にはカバー部材２０だけが配設され、開口部が多く存在することもなく、外観も良好となり、美観に優れたプロジェクタ１０となる。
【００７７】
（３’）また、カバー部材２０とスピーカー２５の前面との間には間隙１９が形成され、この間隙１９は、外装ケース１５の内部に形成された吸気用ダクト１６と空気的に連通していることにより、外部の空気がカバー部材２０を介して間隙１９からダクト１６から好適にプロジェクタ１０の内部に送られることとなり、プロジェクタ１０の内部の冷却が効率的に行われることになる。
【００７８】
（VII）実施形態の変形：
なお、以上説明した態様は、本発明の一態様を示したものであって、本発明は、前記した実施形態に限定されるものではなく、本発明の目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。
【００７９】
例えば、前記した実施形態では、外装ケース１５に対してプロジェクタ本体１の吸気口１５２と排気口１５１Ａ，１５１Ｂ１，１５１Ｂ２，１５１Ｄ１，１５１Ｄ２を同じ面には配設しなかったが、これには限定されず、吸気口１５２と排気口１５１Ａ，１５１Ｂ１，１５１Ｂ２，１５１Ｄ１，１５１Ｄ２を外装ケースの同じ面内に配設するような構成としてもよい。
【００８０】
また、前記した実施形態では、音声発生装置であるスピーカー２５のスピーカーキャビネット２５２の上面部が吸気用ダクト１６の一部を形成している態様を示したが、これには限定されず、吸気用ダクト１６とスピーカーキャビネット２５をそれぞれ独立の部材により形成するようにしても問題はない。
【００８１】
前記した実施形態では、外装ケース１５において、プロジェクタ本体１の吸気口１５２と音声発生装置であるスピーカー２５の放音口１５３とが隣接して形成され、その前面にカバー部材２０が配設されている態様を示したが、これには限定されず、プロジェクタ本体１の排気口とスピーカー２５の放音口１５３とが隣接して形成され、その前面にカバー部材２０が配設されているようにしてもよい。
【００８２】
前記した実施形態では、外装ケース１５の内部にプロジェクタ本体１と音声発生装置であるスピーカー２５を収納してプロジェクタ１０を構成するようにしていたが、例えば、プロジェクタ本体１の下部などに、プロジェクタ本体１が投写する画像光に関連する画像を再生する画像再生装置を配設して、プロジェクタ本体−画像再生装置一体型の複合プロジェクタとなるようにしてもよい。
【００８３】
ここで、画像再生装置としては、例えば、ＤＶＤプレーヤーや、ビデオカセットレコーダーなどが挙げられる。
なお、外装ケース１５の内部において、プロジェクタ本体１の下部にこのＤＶＤレコーダーを配設する場合にあっては、図１、図２、図５〜図７に示した投入部３０３を、デジタルビデオ信号を記録しているＤＶＤを投入するＤＶＤ投入部として使用することができる。
【００８４】
前記した実施形態では、筐体である外装ケース１５におけるカバー部材２０が配設される面を外装ケース１５の背面部１５Ｃとして、プロジェクタ本体１の投写光学装置である投写レンズ３から画像光が拡大投写される面（外装ケース１５の正面部１５Ａ）とは異なる面となるようにしたが、これには限定されず、カバー部材２０が配設される面と投写レンズ３から画像光が拡大投写される面が、外装ケース１５の同じ面となるようにしてもよい。
【００８５】
前記各実施形態では、スクリーンを観察する方向から投写を行うフロントタイプのプロジェクタの例のみを挙げたが、本発明は、スクリーンを観察する方向とは反対側から投写を行うリアタイプのプロジェクタにも適用可能である。
【００８６】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００８７】
本発明の音声発生装置を備えたプロジェクタは、例えば、会議、学会、展示会等でのマルチメディアプレゼンテーションに適用されるプロジェクタとして多目的に利用することができる。
【図面の簡単な説明】
【００８８】
【図１】本発明の第１実施形態に係るプロジェクタを後方から見た斜視図である。
【図２】図１において、外装ケースの外面に配設されたカバー部材の一つを取り外した状態を示した斜視図。
【図３】本発明の第１実施形態に係るプロジェクタを前方から見た斜視図。
【図４】プロジェクタ本体の光学系の模式図
【図５】本発明の第１実施形態に係るプロジェクタの内部構成を示した斜視図。
【図６】本発明の第２実施形態に係るプロジェクタを後方から見た斜視図。
【図７】本発明の第２実施形態に係るプロジェクタの内部構成を示した斜視図。
【図８】プロジェクタ外部から内部への空気の流れを示した模式図。
【符号の説明】
【００８９】
１…プロジェクタ本体、３…投写レンズ（投写光学装置）、１０…プロジェクタ、１５…外装ケース（筐体）、１６…吸気用ダクト、１７…吸気用ファン、１８…排気用ファン、１９…間隙、２０…カバー部材、２１…カバー部、２２…枠体、２５…スピーカー（音声発生装置）、４１…インテグレータ照明光学系、４２…色分離光学系、４３…リレー光学系、４４…光学装置、４５…ライトガイド、１５１Ａ，１５１Ｂ１，１５１Ｂ２，１５１Ｃ１，１５１Ｃ２…排気口、１５２…吸気口、１５３…放音口、２５２…スピーカーキャビネット
【図１】
2006072036.tif 000003
【図２】
2006072036.tif 000004
【図３】
2006072036.tif 000005
【図４】
2006072036.tif 000006
【図５】
2006072036.tif 000007
【図６】
2006072036.tif 000008
【図７】
2006072036.tif 000009
【図８】
2006072036.tif 000010